(57)【特許請求の範囲】
【請求項１】
帯状をなす発熱体の近傍で、搬送ローラによりプラテンローラ上に搬送されるカード状印画媒体の搬送方向の退出側に、上記発熱体とほぼ同じ高さとなされて上記発熱体との２点で上記カード状印画媒体を支持し、上記カード状印画媒体に対する上記発熱体の接触角及び圧着力を、搬送される上記カード状印画媒体の先端部から後端部まで均一とするガイド体が設けられた印画ヘッド。
【請求項２】
上記ガイド体はインクリボンのガイド部材が使用された請求項１記載の印画ヘッド。
【請求項３】
上記ガイド部材は板体が折り曲げられて構成された折り曲げ片である請求項２記載の印画ヘッド。
【請求項４】
上記折り曲げ片は曲率の大きな曲面として形成されると共に、
上記折り曲げ片の端面は上記発熱体の側面に少許の間隔を保持した状態となるように上記発熱体本体に取り付けられた請求項３記載の印画ヘッド。
【請求項５】
上記ガイド体は上記発熱体に近傍してこの発熱体本体に一体形成された請求項１記載の印画ヘッド。
【請求項６】
プラテンローラと、搬送ローラにより上記プラテンローラ上に搬送されるカード状印画媒体にインクリボンを介して圧接しながら画像情報を与えることによって画像を上記カード状印画媒体に転写する印画ヘッドを備え、
上記印画ヘッドにはその突条発熱体の近傍で、搬送されるカード状印画媒体の搬送方向の退出側に、上記突条発熱体とほぼ同じ高さとなされて上記突条発熱体との２点で上記カード状印画媒体を支持し、上記カード状印画媒体に対する上記突条発熱体の接触角及び圧着力を、搬送される上記カード状印画媒体の先端部から後端部まで均一とするガイド体が設けられ、
上記プラテンローラ上に搬送されたカード状印画媒体を、上記突条発熱体とガイド体の２点で支持しながら印画を行うようにしたカードプリンタ。
【請求項７】
上記ガイド体はインクリボンのガイド部材が使用された請求項６記載のカードプリンタ。
【請求項８】
上記ガイド部材は板体が折り曲げられて構成された折り曲げ片である請求項７記載のカードプリンタ。
【請求項９】
上記折り曲げ片は曲率の大きな曲面として形成されると共に、
上記折り曲げ片の端面は上記発熱体の側面に少許の間隔を保持した状態となるように上記発熱体本体に取り付けられた請求項８記載のカードプリンタ。
【請求項１０】
上記ガイド体は上記発熱体に近傍してこの発熱体本体に一体形成された請求項６記載のカードプリンタ。
【発明の詳細な説明】
【０００１】
【発明の属する技術分野】
この発明は、印画ヘッドおよびこれを使用したカードプリンタに関する。詳しくは、印画ヘッドのヘッド部近傍に印画媒体をガイドするガイド体を設けることによって、印画媒体をヘッド部とこのガイド体との２点で支持できるようにして、印画媒体の先端部側と後端部とでの印画を安定して行えるようにしたものである。
【０００２】
【従来の技術】
プラスチック材を使用したカードなどの印画媒体の片面あるいは両面にカラー画像などを印画（印刷）できるようにした熱転写型のプリンタいわゆるカードプリンタが知られている。
このカードプリンタの概要を図１７を参照して説明すると、このカードプリンタはロール状のインクリボン３６を収納したリボンカートリッジ３７が使用され、プラテンローラ２６の上面に搬送ローラ２８，２９を使用して長方形状のカード２が搬送される。そして、このインクリボン３６を介して熱転写用の印画ヘッド（サーマルヘッド）３３のヘッド部３３Ａ（図参照）をプラテンローラ２６側に圧着し、その状態でカード２を搬送させながら印画ヘッド３３に所定のカラー画像データを与えることで、カード２の表面にカラー画像を熱転写するようにしたものである。
【０００３】
カード２としては例えばＩＳＯ（International Organization for Standardization）規格を満足するものを使用することができ、そのようなカード２は図１８に示すように、カード２の長手方向に沿って磁気ストライプ３が形成されると共に、この磁気ストライプ３とは反対面の先端部近傍にＩＣメモり（Integrated Circuit）４が埋設されている。
またインクリボン３６としては、昇華性染料を使用したカラーリボンを使用することができる。図１９はその一例を示す構成であって、それぞれ所定の長さに亘ってイエローＹ、マゼンタＭ、シアンＣおよびブラックＢの各染料が塗布されると共に、ブラックＢ染料帯の後にラミネート処理を行えるようにフィルム状シートＬが貼着されている。そして、このＹ、Ｍ、Ｃ、Ｂ、Ｌを１組としてカラー画像の印画およびラミネート処理が行われる。
【０００４】
【発明が解決しようとする課題】
ところで、カード２は図２０のように複数の搬送ローラ２７〜３０によって挟持されながら搬送されるため、以下のように異なる力（圧着力）を受けながらカード２が走行する。
（１）搬送ローラ２７，２８とプラテンローラ２６とによる力（図２０の例）
（２）搬送ローラ２８とプラテンローラ２６とによる力
（３）搬送ローラ２８，プラテンローラ２６および搬送ローラ２９による力（図２１の例）
（４）プラテンローラ２６と搬送ローラ２９とによる力
（５）プラテンローラ２６，搬送ローラ２９，３０による力
プラテンローラ２６と複数の搬送ローラ２７〜３０とは同一平面上に配置されるのではなく、図２２のように僅かな高低差をもって配置される場合が多い。これは取り付け精度のばらつきの他に、カード２への安定した圧着力を得るため、図２３のような高低差が設けられている。
【０００５】
図２２のような高低差があるときには、カード２は印画の前半では左上がりの状態で搬送され（図２３参照）、中盤の搬送状態では水平状態で搬送され（図２４参照）、そして後半では右上がりの状態で搬送される（図２５参照）。そのため、カード２の搬送位置によってカード２のたわみ方が相違し、カード２に接触するヘッド部（発熱部）３３Ａの接触角が異なってしまう。この接触角の変化と相俟って、上述したような圧着力の変動によって印画濃度むらやインクリボン３６にしわなどが発生する場合がある。この現象は特にカード２の先端部での印画時や、後端部での印画時のとき顕著に現れる。
【０００６】
プラテンローラ２６と複数の搬送ローラ２７〜３０までを同一平面上に配置できれば、このような印画濃度むらの発生を従来よりは抑制できるが、同一平面上に並べたとしても図２３や図２５の場合には平行（印画ヘッド３３と垂直）にならない。そのため、印画ヘッド３３とカード２との接触角が変化したり、圧着力が変化して印画ヘッド３３の当たりむらが発生するのは避けられない。
そこで、この発明はこのような従来の課題を解決したものであって、特にカードの先後端部での接触角が変化しないようにすることによって、印画ヘッドの当たりむらを改善し、カード前面に亘って安定した印画処理を行える印画ヘッドおよびこれを使用したカードプリンタを提案するものである。
【０００７】
【課題を解決するための手段】
上述の課題を解決するため、請求項１に記載したこの発明に係る印画ヘッドでは、帯状をなす発熱体の近傍で、搬送ローラによりプラテンローラ上に搬送されるカード状印画媒体の搬送方向の退出側に、発熱体とほぼ同じ高さとなされて発熱体との２点でカード状印画媒体を支持し、カード状印画媒体に対する発熱体の接触角及び圧着力を、搬送されるカード状印画媒体の先端部から後端部まで均一とするガイド体が設けられたものである。
請求項６に記載したこの発明に係るカードプリンタでは、プラテンローラと、搬送ローラによりプラテンローラ上に搬送されるカード状印画媒体にインクリボンを介して圧接しながら画像情報を与えることによって画像をカード状印画媒体に転写する印画ヘッドを備え、印画ヘッドにはその突条発熱体の近傍で、搬送されるカード状印画媒体の搬送方向の退出側に、突条発熱体とほぼ同じ高さとなされて突条発熱体との２点でカード状印画媒体を支持し、カード状印画媒体に対する突条発熱体の接触角及び圧着力を、搬送されるカード状印画媒体の先端部から後端部まで均一とするガイド体が設けられ、プラテンローラ上に搬送されたカード状印画媒体を、突条発熱体とガイド体の２点で支持しながら印画を行うようにしたものである。
【０００８】
この発明では、印画ヘッドのヘッド部と、この近傍に設けられた突条ガイドとに常に接触しながら印画媒体であるカードが搬送され、その状態で印画されるようになる。その結果、カード先端部側およびカード後端部側でのヘッド部とカードとの接触条件が安定して印画ヘッドの当たりむらが少なくなって、印画の濃度を均一にできる。
【０００９】
【発明の実施の形態】
続いて、この発明に係る印画ヘッドおよびこれを使用したカードプリンタの一実施形態を図面を参照して詳細に説明する。以下の実施形態でも、使用するカード２は図１８のような構成のカードであるものとし、インクリボン３６も図１９のような構成のものが使用されるものとする。カード搬送系も実質的に同一であり、複数の搬送ローラ２７〜３０の搬送平面に対してプラテンローラ２６の頂点はこの搬送平面より僅かに高くなっている場合を示す。
【００１０】
図１に示すカードプリンタ２０にあって、筐体２１の右側に設けられたカード挿入口２１Ａからカード２が挿入、差し込まれ、一対のローラで形成されたクリーニングローラ２２を介してカード搬送部２４により搬送路ＣＲに沿ってカード２が内部に搬送される。
【００１１】
カード搬送部２４は、プラテンローラ２６のカード進入側に設けられた一対の搬送ローラ２７，２８と、プラテンローラ２６のカード退出側に設けられた一対の搬送ローラ２９，３０で構成され、これらはそれぞれ搬送路ＣＲに沿って所定間隔で回転自在に軸支されている。搬送ローラ２７〜３０はいずれも転接する上下一対のローラで構成され、このうち、この例では上側のローラに駆動モータ（図示せず）から回転力が付与される。
【００１２】
カード搬送部２４の上方には、プラテンローラ２６に対向する所定位置にヘッドユニット３２を含むヘッド保持機構部３８が設けられている。ヘッドユニット３２の先端部に熱転写ヘッドである印画ヘッド３３が支持され、ヘッド保持機構部３８によってこの印画ヘッド３３をプラテン２６に圧接する方向に伸長し、又は当該プラテン２６から離間する方向に短縮するような動作が付与される。リボンカートリッジ３７は上述したように帯状のインクリボン３６を有し、これが供給リール３４と巻取リール３５との間に巻き付けられている。
【００１３】
印画モード時には、ヘッド保持機構部３８を駆動して印画ヘッド３３をインクリボン３６と、プラテンローラ２６上に位置決めされたカード２とを介してプラテンローラ２６に押しつける。この状態で印画ヘッド３３に所定の印画信号を加えて発熱させ、インクリボン３６のインクをカード２の表面に熱転写してカラー画像などが印画される。
【００１４】
搬送ローラ２９の下側のローラ側には磁気ヘッド４１が配され、記録再生時のみ磁気ヘッド４１をカード２の下面に当接させ、記録再生時以外には磁気ヘッド４１を搬送路ＣＲから離間するようになされている。
磁気ヘッド４１を露出させて、カード２の一面に形成された磁気ストライプ３に所定の記録信号に基づく情報を記録する。そしてこの記録した情報を即時再生することにより磁気ストライプ３に記録エラーが存在するか否かを判断できるようになされている。
【００１５】
カード搬送路ＣＲ上には複数の、この例ではフォトインタラプタ型の光学センサ４２，４３および４４が設けられ、カード２の搬送状態が検出される。
筐体２１のカード排出口２１Ｂの近傍は搬送路ＣＲに沿って回転搬送部２５が設けられている。この回転搬送部２５には、回転軸４６を中心として回転自在に支持された回転機構部４５を有する。回転機構部４５は、それぞれ上下一対のローラからなる第１および第２のフリッパローラ４７，４８を有し、回転軸４６を介して互いに対称的な位置関係を保って軸支されている。そして、それぞれ上方のローラに駆動モータ（図示せず）から回転力が付与される。
【００１６】
この回転搬送部２５を利用することによって、カード２を上下反転させた上で、再び印画ヘッド３３側に戻してカード裏面への印画が可能になる他、さらに以下のような処理も可能になる。
この回転搬送部２５の近傍位置にはＩＣ記録再生部５０が設けられ、図２のように回転搬送部２５を反時計方向に回転させた状態で、これから送り出されたカード２がＩＣ記録再生部５０の挿入口５０Ａに差し込まれると、当該カード２の他面に設けられたＩＣメモリ４の各端子がインタフェースコネクタ（図示せず）と接触する。これによって情報の記録、再生が行われ、また記録した情報を即時再生することによりＩＣメモリ４に記録エラーが存在するか否かを判断できる。
【００１７】
回転搬送部２５の斜め下面側にはさらに不良カードトレイ５１が設けられ、磁気ストライプ３への記録エラー、あるいはＩＣメモリ４への記録エラーが発生したカード２を、この回転搬送部２５を利用して不良カードトレイ５１内に排出するようになされている。
第１および第２のフリッパローラ４７，４８側にはフォトインタラプタ型の光学センサ５２，５３が設けられ、カード２の搬送状態を検出できるようになされている。
【００１８】
上述したカード搬送部２４、回転搬送部２５、ヘッド保持機構部３８、磁気ヘッド４１およびＩＣ記録再生部５０は、それぞれ制御手段としてのホストコンピュータ（図示せず）の制御に応じて所定状態に駆動される。印画データ、記録情報などもこのホストコンピュータ側から供給される。
【００１９】
続いて、ヘッド保持機構部３８の構成、動作について図３以降を参照して説明する。図３に示すように、このヘッド保持機構部３８は、印画ヘッド３３を支持するヘッドユニット３２と、カム手段６９と、このカム手段６９に転接して動くてこ部材６５と、このてこ部材６５の動きをヘッドユニット３２に伝達する連接部材６６とで構成される。支持部材６１は矢印ａで示す方向に固定軸６０を回転中心として回転自在に筐体２１に取り付けられる。当該支持部材６１の他端にはヘッドユニット３２の後端が支持軸６２を中心として矢印ｂで示す方向に回転自在に支持されている。
【００２０】
ヘッドユニット３２と支持部材６１との間にはコイルばね６３が取り付けられており、ヘッドユニット３２が支持部材６１と一体となって固定軸６０を中心として矢印ａで示す方向に回転し得るようになされている。
略三角形状のてこ部材６５は固定軸６４を中心に矢印ｃで示す方向に回転自在に取り付けられている。カム手段６９は矢印ｅ方向に回転できる。そして図４にも示すようなカム溝６９Ｂを有し、このカム溝６９Ｂに沿って移動するピン７０が係合されている。ピン７０はてこ部材６５に植立されたものである。
【００２１】
カム手段６９のカム溝６９Ｂを図４のように左右対称に形成することによって、印画ヘッド３３をプラテンローラ２６に対し所定のストロークをもって転接し、離間させることができる。図３はプラテンローラ２６から離間した原位置の状態を示し、図５はプラテンローラ２６に近接した位置まで移動した状態を、図６はプラテンローラ２６への転接状態を示す。
【００２２】
また、図４のような複数の変曲点Ａ１〜Ａ５をカム溝６９Ｂに形成することで、図７のような動きをヘッドユニット３２に付与することができ、転接状態でプラテンローラ２６に印画ヘッド３３のヘッド部つまり発熱部３３Ａを強く圧接させることができる。ここに、点Ａ１はカム手段６９の初期位置である。
図７に示すガイド溝９２はヘッドユニット３２の左右両端部に設けられた係合ピン３２Ａを誘導するためのものである。これによって、印画ヘッド３３の突条発熱体３３Ａを確実にプラテンローラ２６の頂部に転接させることができる。
【００２３】
さて、この発明においては上述したようなヘッドユニット３２に支持される印画ヘッド３３として次のように構成されたものが使用される。
図８はその詳細を示すもので、印画ヘッド３３はベース基板８９の下面にヘッド本体９０が貼着され、ヘッド本体９０の下面には一部突出した突条をなすヘッド部としての発熱体３３Ａが設けられている。発熱体３３Ａの右端部には補助板９１を介して端面が僅かに折り曲げられた板状のガイド片９２が設けられ、後述するインクリボン３６がスムーズに発熱体３３Ａ側に導けるようになっている。
【００２４】
ガイド片９２とは反対側の発熱体３３Ａ近傍にもインクリボン３６が切断されないようなリボンガイド体９４が設けられる。これは印画ヘッド３３の端部ｐによってインクリボン３６が切断されないようにするための保護ガイド片である。そのため、リボンガイド体９４は図９のように折り曲げられると共に、折り曲げ端面ｑは丸みを帯びた断面形状となるように成形加工されている。
【００２５】
リボンガイド体９４は図９にも示すように、ほぼＬ字状に折り曲げられて垂直部９５となされると共に、他方の折り曲げ片９７はガイド体として機能し、その全体形状が僅かに湾曲するような形状に選定され、その先端部がさらに内側に僅かに折り曲げられた形状となされる。換言すれば、曲率の大きな曲面として形成する。そして、折り曲げ片９７の左右両端部は一部切り込みが入れられて、その断面がＬ字状となるようにさらに折り曲げられて調整用補助部材９６として利用される。
【００２６】
ここで、垂直部９５は図８に示すようにＬ字状取り付け板９８の一部に取り付け固定されると共に、取り付け板９８の下面側に補助部材９６がビス止めできるような長さに選定される。取り付け板９８は基板８９にビス止めされる。
そして、折り曲げ片９７は図に示すようにリボンガイド体９４を基板８９に取り付けたとき、その端面が発熱体３３Ａの側面（斜面部）と少許の間隙を保持して対向するような長さに選定される。さらにその端面は発熱体３３Ａの側面側に僅かに入り込むようにその全体形状が選定される。これは、後述するようにカード２の先端部が折り曲げ片９７の内側に入り込まないようにするためである。
【００２７】
リボンガイド体９４を基板８９に取り付け固定する場合、図８のように折り曲げ片９７の外表面９７ａが発熱体３３Ａの頂点より僅かに（△Ｈ＝０〜０．１ｍｍ程度）突出するようにリボンガイド体９４の取り付け位置が選定される。このような位置関係に選定すると、図１０のようにカード２がプラテンローラ２６側に搬送され、その先端部が発熱体３３Ａを通過したところでは、カード先端部が折り曲げ片９７の外表面９７ａに当接すると、この外表面９７ａをガイドとしてこの外表面９７ａに沿って進入する。そして、カード２がさらに搬送され、カード２への印画を開始する初期位置（図１０の搬送位置とする）になったときには、カード２は発熱体３３Ａにも接触し、折り曲げ片９７の外表面９７ａにも接触した状態となる。つまり、カード２は発熱体３３Ａと折り曲げ片９７の２点、さらに詳細に説明するならば、これらとプラテンローラ２６との３点によってカード先端部が支持されたことになる。
【００２８】
この３点支持によって発熱体３３Ａの頂点と折り曲げ片９７の外表面９７ａとはほぼ面一であるため、カード２はほぼ平行になされた状態で支持されることになる。したがって従来例で説明した図の支持状態と全く同じになる。その結果、カード２に対する発熱体３３Ａの接触角も、圧着力も図の状態、したがってカード２がほぼ中央部まで搬送されたときの接触角と同じになり、印画ヘッドの当たりむらを大幅に改善される。これによってカード２の先端部であっても安定した印画処理を実現でき、印画濃度むらの発生を抑えることができる。
【００２９】
この条件はカード後端部でも同じである。図１１はカード２がその終端印画位置まで搬送されたときの状態を示す。この場合でもカード２の後端部は折り曲げ片９７の外表面９７ａと発熱体３３Ａの頂部およびプラテンローラ２６の頂部との３点で支持された状態を維持するから、これによってカード先端部と同様に面一な状態でカード２が平行保持される。これによってそのときの接触角は図２４の場合と同じになり、カード２への圧着力も均一に保てるから、安定した印画処理を実現できる。したがって印画濃度むらのない良質な印画を達成できる。インクリボン３６にしわが発生するようなことも起こらない。
【００３０】
図１２はこの発明の他の実施形態を示すもので、図８と同一部分の重複説明は割愛するも、この実施形態はガイド体として機能する折り曲げ片９７の外表面９７ａの高さを補助部材９６で微調整できるようにしたものである。そのため、図１２のように補助部材９６は印画ヘッド全体の厚みよりも多少短く形成されると共に、取り付け板９８との間に弾性体よりなるスペーサ１００を介してビス止めされる。
このビス止めの量を調整することで折り曲げ片９７における外表面９７ａの突条発熱体３３Ａに対する高さを微調整できる。この微調整によってカード２の端面進入時および退出時の２点あるいは３点支持による平行度、つまり印画ヘッド３３のカード２に対する接触角が一定となるように微調整できる。
【００３１】
図１３はスペーサ１００の代わりにコイルバネ１０１を介してビス止めした場合であり、図１２と同様な作用、効果が得られる。さらに、コイルバネ等を用いサーマルヘッド３３に柔軟性をもたせることにより、カード２の先端の進入時、折り曲げ片９７に衝突する際の衝撃を和らげ、サーマルヘッド３３のカード２への当たり条件の急激な変化を抑制することができる。
上述した実施形態はいずれもリボンガイド体９４の一部を利用して印画ヘッドのガイド体を構成したが、図１４のように本体そのものにガイド体９７（９７Ｂ、９７Ｃ）を形成することができる。この場合には突条発熱体３３Ａの左右両側面側にこの突条発熱体３３Ａと少許の間隔を保持して突条のガイド体９７Ｂ、９７Ｃが一体形成される。これで３点支持構成となる。
【００３２】
一対のガイド体９７Ｂ、９７Ｃはインクリボン３６に対するガイドとしても機能するように、その先端部は曲率の大きな曲面となるように丸みを帯びた形状となされる。
この発明はカード２に印画ヘッド３３を圧着したとき、カード２の先端側や後端側を平行に支持できるようにするために、ガイド体９７が設けられるものであるから、このガイド体９７の形成位置や形成個数は図１５あるいは図１６のように任意である。図１５Ａ，Ｂ、図１６Ａ，Ｂは２点支持の例であり、図１５Ｃ、図１６Ｃは３点支持の例である。
【００３３】
【発明の効果】
以上説明したように、この発明では印画ヘッドの発熱体近傍にガイド体を設けたものである。またこの発明はこのようなガイド体を有する印画ヘッドを用いてカード状印画媒体に画像を印画できるようにしたものである。
これによれば、このガイド体と発熱体とによって印画媒体であるカードを支持できるので、印画ヘッドのカードに対する接触角がカード全面に亘ってほぼ一定となり、印画ヘッドのカードに対する様々な濃度むらを改善できる。
【００３４】
すなわちカード先端部側での印画であっても、カード後端部の印画であっても、その印画条件はカードの中央部を印画する場合とほぼ完全に一致するので、カードに対する印画ヘッドの当たりむらや圧着力のむらが改善され、カード先端部や後端部での印画濃度むら（カード搬送方向とは直交する濃度むら）をほぼ完全に解消できる。また、負荷変動に伴う印画ヘッドの当たり条件の変化も抑制され、これによって負荷変動による濃度むらを改善できる。同様に、当たり条件が均一となるためヘッド搬送方向と同じ方向におけるすじ状の濃度むらも改善される。このようにカードに対するヘッド当たりむらに起因する様々な濃度むらを改善できる特徴を有する。
【００３５】
またこの接触角が一定することによってインクリボンにしわが寄るなどの障害を除去できる。つまり不安定なヘッドの接触条件に起因して、高濃度や高速印画時にインクリボンにしわが発生し、結果として印画画像にしわ状の濃度むらが発生してしまう。このしわ状の濃度むらは接触条件の安定化により大幅に改善される。そのため、この発明に係るカードプリンタは、最高濃度を従来以上に高めることができるから印画濃度の改善を図れる上、印画速度を高速化できるなどの特徴を有する。
したがってこの発明は比較的厚みのある、硬質なカード状印画媒体にカラー画像などを印画する印画ヘッドおよびこの印画ヘッドを使用したカードプリンタなどに適用して極めて好適である。
【図面の簡単な説明】
【図１】この発明に係るカードプリンタの一実施形態を示す要部の構成図である。
【図２】この発明に係るカードプリンタの一実施形態を示す動作状態での要部の構成図である。
【図３】ヘッド保持機構部の一実施形態を示す構成図であって、初期状態を示す図である。
【図４】カム手段の平面図である。
【図５】ヘッド保持機構部のプラテンローラに近いところまで移動したときの動作状態を示す構成図である。
【図６】プラテンローラにヘッド保持機構部が圧着した動作状態を示す構成図である。
【図７】ヘッドユニットの移動状態を示す図である。
【図８】この発明に係る印画ヘッドの一実施形態を示す要部の構成図である。
【図９】リボンガイド体の一実施形態を示す斜視図である。
【図１０】カード先端部側をプラテンローラまで搬送した状態を示す図である。
【図１１】カード後端部側がプラテンローラから退出する直前の状態を示す図である。
【図１２】この発明に係る印画ヘッドの他の実施形態を示す構成図である（その１）。
【図１３】この発明に係る印画ヘッドの他の実施形態を示す構成図である（その２）。
【図１４】この発明に係る印画ヘッドの他の実施形態を示す構成図である（その３）。
【図１５】この発明に係る印画ヘッドの他の実施形態を示す構成図である（その４）。
【図１６】この発明に係る印画ヘッドの他の実施形態を示す構成図である（その５）。
【図１７】カードプリンタの概念を示す説明図である。
【図１８】カードと印画ヘッドとの関係を示す図である。
【図１９】インクリボンの構成図である。
【図２０】カード搬送状態を示す図である（その１）。
【図２１】カード搬送状態を示す図である（その２）。
【図２２】プラテンローラと搬送ローラとの関係を示す図である。
【図２３】カード進入時の状態を示す図である。
【図２４】カードがプラテンローラの中央部まで搬送されたときの図である。
【図２５】カード退出時の状態を示す図である。
【符号の説明】
２６・・・プラテンローラ、２７〜３０・・・搬送ローラ、３３・・・印画ヘッド、３３Ａ・・・ヘッド部（発熱体）、３２・・・ヘッドユニット、３６・・・インクリボン、３８・・・ヘッド保持機構部、９０・・・ヘッド本体、９４・・・リボンガイド体、９７・・・ガイド体（折り曲げ片）、９７ａ・・・外表面
【図１】
0004359956.tif 000002
【図２】
0004359956.tif 000003
【図３】
0004359956.tif 000004
【図４】
0004359956.tif 000005
【図５】
0004359956.tif 000006
【図６】
0004359956.tif 000007
【図７】
0004359956.tif 000008
【図８】
0004359956.tif 000009
【図９】
0004359956.tif 000010
【図１０】
0004359956.tif 000011
【図１１】
0004359956.tif 000012
【図１２】
0004359956.tif 000013
【図１３】
0004359956.tif 000014
【図１４】
0004359956.tif 000015
【図１５】
0004359956.tif 000016
【図１６】
0004359956.tif 000017
【図１７】
0004359956.tif 000018
【図１８】
0004359956.tif 000019
【図１９】
0004359956.tif 000020
【図２０】
0004359956.tif 000021
【図２１】
0004359956.tif 000022
【図２２】
0004359956.tif 000023
【図２３】
0004359956.tif 000024
【図２４】
0004359956.tif 000025
【図２５】
0004359956.tif 000026